(57)【要約】【課題】効率的な設定作業を実施することができる硬貨処理装置を提供する。【解決手段】設定入力用のスイッチ６０，７０を備えるとともに、制御装置１００は、制御動作に必要な設定情報を記憶した記憶部１２０と、前記金種識別手段２０で識別された金種及び前記スイッチ６０，７０の入力値に応じて前記記憶部１２０に記憶された設定情報の値を変更する設定変更手段１４０とを備えた。【選択図】  図３
2008084065.tif 000002
【特許請求の範囲】
【請求項１】
投入硬貨の真偽及び金種を識別する金種識別手段と、金種識別手段で識別された投入硬貨の真偽及び金種に応じて硬貨を受け入れ側通路又は排除側通路へ振り分ける硬貨振り分け手段と、金種識別手段及び硬貨振り分け手段を制御する制御手段とを備えた硬貨処理装置において、
前記制御手段は、通常モード時において金種識別手段及び硬貨振り分け手段を制御する主制御手段と、管理モード時において管理用の処理をおこなう管理用処理手段とを備え、
該管理用処理手段は、前記金種識別手段で識別された金種に応じた特定の処理を行う
ことを特徴とする硬貨処理装置。
【請求項２】
前記制御手段は、制御動作に必要な設定情報を記憶した記憶手段を備えるとともに、
前記管理用処理手段は、前記金種識別手段で識別された金種に応じて前記記憶手段に記憶された設定情報の値を変更する
ことを特徴とする請求項１記載の硬貨処理装置。
【請求項３】
通常モードと管理モードとを切り替えるモード切替手段を備え、前記制御手段はモード切替手段により前記主制御手段又は管理用処理手段による処理を切り替える
ことを特徴とする請求項１又は２記載の硬貨処理装置。
【請求項４】
設定入力用のスイッチを備え、
前記管理用処理手段は、該スイッチの入力値及び前記金種識別手段で識別された金種に応じて特定の処理を行う
ことを特徴とする請求項１乃至３何れか１項記載の硬貨処理装置。
【請求項５】
金種毎に硬貨を収納する硬貨収納部を備え、
前記硬貨振り分け手段は、金種識別手段で識別された投入硬貨の金種に応じて硬貨を金種毎の硬貨収納部へ振り分け、
前記管理用処理手段は、前記スイッチの入力値及び金種識別手段で識別された投入硬貨の金種に基づき、該金種の硬貨の収納先が前記スイッチの入力値に対応する硬貨収納部となるように設定する
ことを特徴とする請求項４項記載の硬貨処理装置。
【請求項６】
前記管理用処理手段は、前記金種識別手段で識別された投入硬貨の金種に基づき、処理対象となる通貨種別が前記金種が含まれる通貨種別となるように設定する
ことを特徴とする請求項１乃至５何れか１項記載の硬貨処理装置。
【発明の詳細な説明】
【技術分野】
【０００１】
本発明は、自動販売機等に用いられる硬貨処理装置に関するものである。
【背景技術】
【０００２】
この種の硬貨処理装置としては、投入硬貨の金種を識別する金種識別装置と、金種毎に硬貨を収納する硬貨収納チューブと、金種識別装置で識別された投入硬貨の金種に応じて硬貨を金種毎の硬貨収納チューブへ振り分ける硬貨振り分け装置と、金種識別装置及び硬貨振り分け装置を制御する制御装置とを備えたものが知られている（例えば特許文献１参照）。また、この種の硬貨処理装置は、各種設定作業を行うための入力手段としてスイッチを備えており、例えば硬貨収納チューブに収納する硬貨の金種の設定などの設定作業が可能となっている。
【特許文献１】特開２００１−２５６５３６号公報
【発明の開示】
【発明が解決しようとする課題】
【０００３】
ところで近年、例えば対応金種や対応通貨種別の増大、識別精度の可変化など硬貨処理装置が高機能化してきている。これに伴い、硬貨処理装置の設定項目数が増大してきている。これに対応するためには各設定項目に対応した専用のスイッチを設ける方法が考えられる。しかし、この方法では、管理者にとっては直感的な設定作業が可能ではあるものの、スイッチのコストが増大するとともに小型化が困難になるという問題があった。また、テンキーなどのように各スイッチを機能的に動作させ、該スイッチの特定の操作により設定作業を行う方法も考えられる。しかし、この方法では、管理者は各設定項目毎の操作方法を習得する必要があるとともに煩雑な操作が必要となる。このため、設定ミスが生じやすいという問題があった。
【０００４】
本発明は、上記事情に鑑みてなされたものであり、その目的とするところは、効率的な管理作業を実施することができる硬貨処理装置を提供することにある。
【課題を解決するための手段】
【０００５】
上記目的を達成するために、本願では、投入硬貨の真偽及び金種を識別する金種識別手段と、金種識別手段で識別された投入硬貨の真偽及び金種に応じて硬貨を受け入れ側通路又は排除側通路へ振り分ける硬貨振り分け手段と、金種識別手段及び硬貨振り分け手段を制御する制御手段とを備えた硬貨処理装置において、前記制御手段は、通常モード時において金種識別手段及び硬貨振り分け手段を制御する主制御手段と、管理モード時において管理用の処理をおこなう管理用処理手段とを備え、該管理用処理手段は、前記金種識別手段で識別された金種に応じた特定の処理を行うことを特徴とするものを提案する。
【０００６】
本発明によれば、管理モード時には投入した硬貨の金種に基づき各種の処理を行うことができる。すなわち、制御手段に対する指示入力の手段として硬貨の投入という方法を用いることができるので、設定情報の変更や特定処理の開始指示など各種の管理作業を容易にすることができる。
【０００７】
本発明の好適な態様の一例としては、前記制御手段が、制御動作に必要な設定情報を記憶した記憶手段を備えるとともに、前記管理用処理手段が、前記金種識別手段で識別された金種に応じて前記記憶手段に記憶された設定情報の値を変更するものが挙げられる。本発明によれば、投入硬貨の金種を入力データとして用いることができるので、設定情報の変更を容易にすることができる。特に、この種の硬貨処理装置では、金種毎の設定項目が多いので、このような設定項目の変更を行う際には、当該金種の硬貨を投入することで当該金種を指定できるので好適である。
【０００８】
また、上記硬貨処理装置において、通常モードと管理モードとを切り替えるモード切替手段を備え、前記制御手段がモード切替手段により前記主制御手段又は管理用処理手段による処理を切り替えるようにすると、通常モードと管理モードとを明確に切り替えることができるので確実な操作体系となり、誤操作の防止の観点から好適である。
【０００９】
また、上記硬貨処理装置において、さらに設定入力用のスイッチを設け、前記管理用処理手段が、該スイッチの入力値及び前記金種識別手段で識別された金種に応じて特定の処理を行うようにしてもよい。このように、前記金種識別手段で識別された金種だけでなくスイッチの入力値も用いることにより、多彩な処理が可能となる。
【００１０】
本発明のより具体的な態様の一例としては、上記硬貨処理装置において、さらに金種毎に硬貨を収納する硬貨収納部を備え、前記硬貨振り分け手段が、金種識別手段で識別された投入硬貨の金種に応じて硬貨を金種毎の硬貨収納部へ振り分け、前記管理用処理手段が、前記スイッチの入力値及び金種識別手段で識別された投入硬貨の金種に基づき、該金種の硬貨の収納先が前記スイッチの入力値に対応する硬貨収納部となるように設定するものが挙げられる。本発明によれば、各硬貨収納部に収納する金種を直感的な操作で設定することができる。
【００１１】
また、本発明のより具体的な態様の他の例としては、前記管理用処理手段は、前記金種識別手段で識別された投入硬貨の金種に基づき、処理対象となる通貨種別が前記金種が含まれる通貨種別となるように設定するものが挙げられる。本発明によれば、処理対象となる通貨を直感的な操作で設定することができる。
【発明の効果】
【００１２】
以上説明したように本発明によれば、管理モード時には投入した硬貨の金種に基づき各種の処理を行うことができる。すなわち、制御手段に対する指示入力の手段として硬貨の投入という方法を用いることができるので、設定情報の変更や特定処理の開始指示など各種の管理作業を容易にすることができる。
【発明を実施するための最良の形態】
【００１３】
本発明の一実施形態に係る硬貨処理装置について図面を参照して説明する。図１は硬貨処理装置の概略構成図、図２は操作パネルの正面図である。
【００１４】
この硬貨処理装置１は、図１に示すように、硬貨２の投入口１１と、投入口１１から投入された硬貨２を案内する硬貨案内通路１２と、硬貨案内通路１２を通過中の硬貨の真偽及び金種を識別する金種識別装置２０と、硬貨案内通路１２を通過した硬貨を排除側通路又は受け入れ金種毎の各通路に振り分ける硬貨振分装置３０と、硬貨振分装置３０により振り分けられた硬貨を収納する硬貨収納筒４０と、硬貨収納筒４０に収納されている硬貨を排出する硬貨搬出装置５０と、制御装置１００（図１では図示省略）を備えている。なお、投入口１１，硬貨案内通路１２，金種識別装置２０，硬貨振分装置３０，硬貨収納筒４０，硬貨搬出装置５０の構成について従来のものと同様なので、ここでは詳述は省略する。
【００１５】
硬貨収納筒４０は、金種毎に形成された複数のチューブ４０Ａ〜４０Ｅからなる。硬貨振分装置３０は、制御装置１００からの指示に基づき動作し、投入硬貨を硬貨収納筒４０の各チューブ４０Ａ〜４０Ｅに振り分けるとともに、必要に応じて投入硬貨を所定の返却口５や金庫６に振り分ける。
【００１６】
また、硬貨処理装置１には、動作状態の表示や設定入力などを行うための操作パネル６０が付設されている。操作パネル６０は、図２に示すように、上下に並設した２つのＬＥＤ６１ａ及び６１ｂからなる表示部６１と、６つのプッシュスイッチ６２Ａ〜６２Ｆからなる入力部６２とを備えている。本実施の形態では、硬貨収納筒４０の各チューブ４０Ａ〜４０Ｅについての設定を容易にするために、スイッチ６２Ａ〜６２Ｅをそれぞれ硬貨収納筒４０のチューブ４０Ａ〜４０Ｅに対応させている。
【００１７】
さらに、硬貨処理装置１は、動作モードを通常モードと、管理モードの一種である設定モードとを切り替えるためのモード切替スイッチ７０（図１では図示省略）を備えている。本実施の形態では、モード切替スイッチ７０は、複数の接点を有するＤＩＰスイッチからなる。制御装置１００は、モード切替スイッチ７０の全ての接点がオフの時には通常モードとして動作する。一方、制御装置１００は、何れかの接点がオンの時には当該接点に対応した設定モードとして動作する。
【００１８】
次に、制御装置１００について図３の機能ブロック図を参照して説明する。図３に示すように、制御装置１００は、通常モード時に各装置の制御を行う主制御部１１０と、主制御部１１０の動作に必要な各種設定事項を記憶した記憶部１２０と、例えば自動販売機本体の制御装置などと通信するための通信制御部１３０と、記憶部１２０に記憶されている各種設定事項を変更するための設定変更部１４０とを備えている。主制御部１１０による動作と設定変更部１４０による動作との切り替えは、前述したモード切替スイッチ７０により行われる。
【００１９】
図４に記憶部１２０に記憶されている設定項目の一例を示す。図４（ａ）に例示したものは、金種識別装置２０での識別精度を各金種毎に設定した識別精度テーブルである。また、図４（ｂ）に例示したものは、硬貨収納筒４０の各チューブ４０Ａ〜４０Ｅに収納する金種を設定した振り分け設定テーブルである。主制御部１１０は、識別精度テーブルを参照して金種識別装置２０における投入硬貨の真偽判定の精度を決定する。また、主制御部１１０は、金種識別装置２０での識別結果に基づき、投入硬貨の金種に対応するチューブ４０Ａ〜４０Ｅを前記振り分け設定テーブルを参照して決定し、当該チューブ４０Ａ〜４０Ｅに投入硬貨が収納されるように硬貨振分装置３０を制御する。なお、金種識別装置２０での識別の結果、投入硬貨が偽貨である場合、主制御部１１０は当該硬貨を返却口５に振り分ける。また、収納先のチューブ４０Ａ〜４０Ｅが満杯だった場合、主制御部１１０は当該硬貨を金庫６に振り分ける。また、記憶部１２０には、「投入硬貨の情報を金額情報として自動販売機本体の制御装置等へ送信する際、又は、自動販売機本体の制御装置等から払い出すべき釣り銭金額の指令を受信する際の最小金額単位」を表す硬貨係数（図４では図示省略）が記憶されている。
【００２０】
次に、本実施の形態に係る硬貨処理装置１における設定変更の流れについて図５のフローチャートを参照して説明する。まず、記憶部１２０に記憶されている振り分け設定テーブルの一部のデータを変更する場合について説明する。なお、制御装置１００は、通常モード時には表示部６１の各ＬＥＤ６１ａ及び６１ｂを点灯させているものとする。
【００２１】
制御装置１００の主制御部１１０は、モード切替スイッチ７０の第１接点がオンになったことを検出すると（ステップＳ１）、処理を設定変更部１４０に移行する。設定変更部１４０は、表示部６１の各ＬＥＤ６１ａ及び６１ｂを同時に点滅させ、設定変更モードに移行したことを表示する（ステップＳ２）。次に、設定変更部１４０は、操作パネル６０のスイッチ６２Ａ〜６２Ｅの押下を検出する（ステップＳ３）。次に、金種識別装置２０により投入硬貨の金種が識別されると（ステップＳ４）、当該金種に係る硬貨が前記スイッチ６２Ａ〜６２Ｅに対応するチューブ４０Ａ〜４０Ｅに収納可能かどうかを判定する（ステップＳ５）。なお、設定変更部１４０は、投入された硬貨は返却口５に返却されるように硬貨振分装置３０を制御する。
【００２２】
収納可能な場合、設定変更部１４０は、前記ステップＳ３で入力された入力値及び前記ステップＳ４で識別された投入硬貨の金種に基づき、記憶部１２０の振り分け設定テーブルを更新する（ステップＳ６）。具体的には、設定変更部１４０は、前記ステップＳ３で入力されたスイッチ６２Ａ〜６２Ｅに対応するチューブ４０Ａ〜４０Ｅに収納する金種を、前記ステップＳ４で識別した投入硬貨の金種に設定する。次に、設定変更部１４０は、表示部６１の各ＬＥＤ６１ａ及び６１ｂを所定時間点灯させて設定変更が完了したことを通知する（ステップＳ７）。次に、設定変更部１４０は、モード切替スイッチ７０の第１接点がオフになったことを検出すると（ステップＳ９）、処理を主制御部１１０に移行する。主制御部１１０は、表示部６１の各ＬＥＤ６１ａ及び６１ｂを点灯させ、通常モードに移行したことを通知する（ステップＳ１０）。
【００２３】
一方、前記ステップＳ５において収納不可能であると判定した場合、設定変更部１４０は、表示部６１の各ＬＥＤ６１ａ及び６１ｂを所定時間交互に点滅させて設定変更に失敗したことを通知する（ステップＳ８）。次に、設定変更部１４０は、モード切替スイッチ７０の第１接点がオフになったことを検出すると（ステップＳ９）、処理を主制御部１１０に移行する。主制御部１１０は、表示部６１の各ＬＥＤ６１ａ及び６１ｂを点灯させ、通常モードに移行したことを通知する（ステップＳ１０）。
【００２４】
以上のような処理により、硬貨収納部４０の各チューブ４０Ａ〜４０Ｅにどの金種の硬貨を収納するかという設定を容易に行うことができる。例えば、チューブ４０Ｂに５０円硬貨を収納したい場合には、（１）モード切替スイッチ７０の第１接点をオンにする、（２）チューブ４０Ｂに対応するスイッチ６２Ｂを押下する、（３）５０円硬貨を投入口１１に投入する、（４）モード切替スイッチ７０の第１接点をオフに戻す、という操作により設定が完了する。
【００２５】
次に、記憶部１２０に記憶されている硬貨係数を変更する場合について図６のフローチャートを参照して説明する。本実施の形態では、金種に対して特定の値を予め割り当てておき、投入硬貨の金種に対応する値で硬貨係数を更新する。
【００２６】
制御装置１００の主制御部１１０は、モード切替スイッチ７０の第２接点がオンになったことを検出すると（ステップＳ１１）、処理を設定変更部１４０に移行する。設定変更部１４０は、表示部６１の各ＬＥＤ６１ａ及び６１ｂを同時に点滅させ、設定変更モードに移行したことを表示する（ステップＳ１２）。次に、設定変更部１４０は、金種識別装置２０により投入硬貨の金種が識別されると（ステップＳ１３）、投入硬貨の金種に対応した処理を行う。具体的には、投入硬貨の金種が１ユーロの場合には（ステップＳ１４）、記憶部１２０の硬貨係数を１に設定するとともに（ステップＳ１５）、一方のＬＥＤ６１ａのみを所定時間点滅させて硬貨係数が１に設定されたことを通知する（ステップＳ１６）。また、投入硬貨の金種が５セントの場合には（ステップＳ１７）、記憶部１２０の硬貨係数を５に設定するとともに（ステップＳ１８）、他方のＬＥＤ６１ｂのみを所定時間点滅させ硬貨係数が５に設定されたことを通知する（ステップＳ１９）。なお、設定変更部１４０は、投入された硬貨は返却口５に返却されるように硬貨振分装置３０を制御する。
【００２７】
次に、設定変更部１４０は、モード切替スイッチ７０の第２接点がオフになったことを検出すると（ステップＳ２０）、処理を主制御部１１０に移行する。主制御部１１０は、表示部６１の各ＬＥＤ６１ａ及び６１ｂを点灯させ、通常モードに移行したことを通知する（ステップＳ２１）。
【００２８】
以上のような処理により、記憶部１２０に記憶した硬貨係数の変更を容易に行うことができる。例えば、硬貨係数を５に設定したい場合には、（１）モード切替スイッチ７０の第２接点をオンにする、（２）５セント硬貨を投入口１１に投入する、（３）モード切替スイッチ７０の第２接点をオフに戻す、という操作により設定が完了する。
【００２９】
次に、硬貨処理装置１で取り扱う通貨を他の通貨に切り替える場合について図７のフローチャートを参照して説明する。この場合には、記憶部１２０に記憶されている振り分け設定テーブルの各金種データについて一斉に他の通貨の金種データに変更すればよい。
【００３０】
制御装置１００の主制御部１１０は、モード切替スイッチ７０の第３接点がオンになったことを検出すると（ステップＳ３１）、処理を設定変更部１４０に移行する。設定変更部１４０は、表示部６１の各ＬＥＤ６１ａ及び６１ｂを同時に点滅させ、設定変更モードに移行したことを表示する（ステップＳ３２）。次に、設定変更部１４０は、金種識別装置２０により投入硬貨の金種が識別されると（ステップＳ３３）、投入硬貨の通貨に対応した処理を行う。具体的には、投入硬貨の金種が何れかのユーロ硬貨の場合には（ステップＳ３４）、記憶部１２０の振り分け設定テーブルの各金種をユーロ通貨の金種に一斉に設定する（ステップＳ３５）。次に、設定変更部１４０は、一方のＬＥＤ６１ａのみを所定時間高速点滅させてユーロ硬貨対応モードに設定されたことを通知する（ステップＳ１６）。また、投入硬貨の金種が何れかのロシア硬貨の場合には（ステップＳ３７）、記憶部１２０の振り分け設定テーブルの各金種をロシア通貨（ルーブル）の金種に一斉に設定する（ステップＳ３８）。次に、設定変更部１４０は、他方のＬＥＤ６１ｂのみを所定時間高速点滅させロシア硬貨対応モードに設定されたことを通知する（ステップＳ３９）。なお、設定変更部１４０は、投入された硬貨は返却口５に返却されるように硬貨振分装置３０を制御する。
【００３１】
次に、設定変更部１４０は、モード切替スイッチ７０の第３接点がオフになったことを検出すると（ステップＳ４０）、処理を主制御部１１０に移行する。主制御部１１０は、表示部６１の各ＬＥＤ６１ａ及び６１ｂを点灯させ、通常モードに移行したことを通知する（ステップＳ４１）。
【００３２】
以上のような処理により、記憶部１２０に記憶した振り分け設定テーブルの対応金種を他の通貨の金種に一斉に変更して、硬貨処理装置１の対応通貨を容易に変更できる。例えば、ユーロ硬貨対応モードにしたい場合には、（１）モード切替スイッチ７０の第３接点をオンにする、（２）１ユーロ硬貨や２ユーロ硬貨などのユーロ硬貨を投入口１１に投入する、（３）モード切替スイッチ７０の第３接点をオフに戻す、という操作により設定が完了する。
【００３３】
次に、記憶部１２０に記憶されている識別精度テーブルを変更する場合について図８のフローチャートを参照して説明する。
【００３４】
制御装置１００の主制御部１１０は、モード切替スイッチ７０の第４接点がオンになったことを検出すると（ステップＳ５１）、処理を設定変更部１４０に移行する。設定変更部１４０は、表示部６１の各ＬＥＤ６１ａ及び６１ｂを同時に点滅させ、設定変更モードに移行したことを表示する（ステップＳ５２）。次に、設定変更部１４０は、金種識別装置２０により投入硬貨の金種を識別する（ステップＳ５３）。次に、設定変更部１４０は、硬貨投入後に操作パネル６０のスイッチ６２Ａの押下を検出すると（ステップＳ５４）、ステップＳ５３で検出された金種について記識別精度を「高」に設定するとともに（ステップＳ５５）、一方のＬＥＤ６１ａのみを所定時間低速点滅させて識別精度が「高」に設定されたことを通知する（ステップＳ５６）。また、設定変更部１４０は、硬貨投入後に操作パネル６０のスイッチ６２Ｂの押下を検出すると（ステップＳ５７）、ステップＳ５３で検出された金種について記識別精度を「低」に設定するとともに（ステップＳ５８）、他方のＬＥＤ６１ｂのみを所定時間低速点滅させて識別精度が「低」に設定されたことを通知する（ステップＳ５９）。なお、設定変更部１４０は、投入された硬貨は返却口５に返却されるように硬貨振分装置３０を制御する。
【００３５】
次に、設定変更部１４０は、モード切替スイッチ７０の第４接点がオフになったことを検出すると（ステップＳ６０）、処理を主制御部１１０に移行する。主制御部１１０は、表示部６１の各ＬＥＤ６１ａ及び６１ｂを点灯させ、通常モードに移行したことを通知する（ステップＳ６１）。
【００３６】
以上のような処理により、各金種毎の識別精度の設定変更を容易に行うことができる。例えば、５００円硬貨の識別精度を「高」に設定したい場合には、（１）モード切替スイッチ７０の第４接点をオンにする、（２）５００円硬貨を投入口１１に投入する、（３）操作パネル６０のスイッチ６２Ａを押下する、（４）モード切替スイッチ７０の第４接点をオフに戻す、という操作により設定が完了する。
【００３７】
このように、本実施の形態に係る硬貨処理装置１によれば、各種設定項目の変更時に、金種・通貨・その他の値の入力方法として実際の硬貨を投入することを採用しているので、当該変更作業を容易且つ確実に行うことができる。特に、設定項目として金種に直接関連する値を入力する場合や、通貨に関連する値を入力する場合には、該当する硬貨を投入すればよいので、直感的で確実な変更作業が可能となる。また、投入硬貨に対して、所定の値（数値・文字・記号などを含む）を予め割り当てておけば、金種や通貨に関連しない各種設定項目であっても任意に変更できる。
【００３８】
以上本発明の一実施の形態について詳述したが本発明はこれに限定されるものではない。上記実施の形態では、設定項目として、金種毎の振り分け設定、対応通貨モード、硬貨係数を例示したが、他の設定項目であっても本発明を適用できる。例えば、特定の硬貨の受け入れ許否を設定する項目や、トークンと呼ばれる所定のメダルの受け入れ許否を設定をする項目や、投入硬貨を硬貨振分装置３０で一時保留するか否かを設定する項目などが挙げられる。
【００３９】
また、上記実施の形態では、管理モードにおける動作として各種設定項目の変更を図る設定動作について例示したが、他の処理においても投入硬貨の金種情報を用いることができる。例えば、この種の硬貨処理装置では、硬貨収納筒４０に収納された硬貨を回収するための処理機能を備えていることが多いが、当該処理の開始指示として硬貨投入を行う方法などが挙げられる。すなわち、特定処理を開始するためのトリガとして硬貨投入を用いることできる。
【００４０】
また、上記実施の形態では、硬貨を１枚だけ投入する場合について例示したが、複数枚の硬貨を順次投入するようにしてもよい。この場合、各硬貨の金種に対応する設定を一斉に行うようにしてもよいし、複数の硬貨により１つの設定値を入力するようにしてもよい。後者の例としては、例えば、５０円硬貨に５という数値を割り当てるとともに１０円硬貨に１という数値を割り当てておき、５０円硬貨と１０円硬貨の投入があった場合には、６という数値を設定値として用いる方法が挙げられる。
【００４１】
また、上記実施の形態では、通常モードと管理モードの一種である設定変更モードとを切り替えるためのモード切替スイッチ７０と、設定変更時の入力用のスイッチ６２Ａ〜６２Ｆとを備えているが、両者を共通化してもよい。また、モード切替スイッチ７０に替えて、特定の硬貨投入により通常モードと管理モードとを切り替えるようにしてもよい。
【００４２】
また、上記実施の形態では、投入硬貨を金種毎に格納する硬貨収納筒４０を備えるとともに、硬貨振分装置３０は投入硬貨の真偽及び金種毎に振り分け動作を行うタイプの硬貨処理装置について説明したが、他のタイプの硬貨処理装置についても本発明を適用できる。例えば、金種識別装置では投入硬貨が特定の硬貨であるか否かのみを判定し、硬貨振分装置では該判定に基づき当該硬貨を受け入れ側通路又は排除側通路へ振り分けるタイプの硬貨処理装置が挙げられる。なお、当該硬貨処理装置では、金種毎の硬貨収納ができないので、通常は釣り銭用の硬貨排出装置は備えない。
【図面の簡単な説明】
【００４３】
【図１】硬貨処理装置の概略構成図
【図２】操作パネルの正面図
【図３】制御装置の機能ブロック図
【図４】記憶部に記憶されている設定データの一例を説明する図
【図５】振り分け設定テーブルを変更する場合のフローチャート
【図６】硬貨係数を変更する場合のフローチャート
【図７】対応通貨を変更する場合のフローチャート
【図８】識別精度を変更する場合のフローチャート
【符号の説明】
【００４４】
１…硬貨処理装置、２…硬貨、５…返却口、６…金庫、１１…投入口、１２…硬貨案内通路、２０…金種識別装置、３０…硬貨振分装置、４０…硬貨収納筒、４０Ａ〜４０Ｅ…チューブ、５０…硬貨搬出装置、６０…操作パネル、６１…表示部、６２…入力部、７０…モード切替スイッチ、１００…制御装置、１１０…主制御部、１２０…記憶部、１３０…通信制御部、１４０…設定変更部
【図１】
2008084065.tif 000003
【図２】
2008084065.tif 000004
【図３】
2008084065.tif 000005
【図４】
2008084065.tif 000006
【図５】
2008084065.tif 000007
【図６】
2008084065.tif 000008
【図７】
2008084065.tif 000009
【図８】
2008084065.tif 000010